【手続補正書】
【提出日】平成24年4月27日(2012.4.27)
【手続補正１】
【補正対象書類名】明細書
【補正対象項目名】０００８
【補正方法】変更
【補正の内容】
【０００８】
【化１】
2011021151.tif 000001
【手続補正２】
【補正対象書類名】明細書
【補正対象項目名】０００９
【補正方法】変更
【補正の内容】
【０００９】
【化２】
2011021151.tif 000002
【手続補正３】
【補正対象書類名】明細書
【補正対象項目名】００１０
【補正方法】変更
【補正の内容】
【００１０】
【化３】
2011021151.tif 000003
【手続補正４】
【補正対象書類名】明細書
【補正対象項目名】００１１
【補正方法】変更
【補正の内容】
【００１１】
【化４】
2011021151.tif 000004
【手続補正５】
【補正対象書類名】明細書
【補正対象項目名】００１８
【補正方法】変更
【補正の内容】
【００１８】
【化５】
2011021151.tif 000005
【手続補正６】
【補正対象書類名】明細書
【補正対象項目名】００１９
【補正方法】変更
【補正の内容】
【００１９】
【化６】
2011021151.tif 000006
【手続補正７】
【補正対象書類名】明細書
【補正対象項目名】００２０
【補正方法】変更
【補正の内容】
【００２０】
【化７】
2011021151.tif 000007
【手続補正８】
【補正対象書類名】明細書
【補正対象項目名】００２１
【補正方法】変更
【補正の内容】
【００２１】
【化８】
2011021151.tif 000008
【手続補正９】
【補正対象書類名】明細書
【補正対象項目名】００２５
【補正方法】変更
【補正の内容】
【００２５】
グリシジル基含有エチレン性不飽和単量体としては、グリシジルアクリレート、グリシジルメタクリレート、メチルグリシジルアクリレート、メチルグリシジルメタクリレート、３，４−エポキシシクロヘキシルメチルアクリレート、３，４−エポキシシクロヘキシルメチルメタクリレートなどが挙げられる。これらの中でも、グリシジル（メタ）アクリレートが好ましい。これらのグリシジル基含有エチレン性不飽和単量体は、１種を単独で使用してもよいし、２種以上を組み合わせて使用してもよい。
【手続補正１０】
【補正対象書類名】特許請求の範囲
【補正対象項目名】全文
【補正方法】変更
【補正の内容】
【特許請求の範囲】
【請求項１】
（Ａ）下記一般式（１）〜（４）で表される構造のいずれか一つを含む化合物から選ばれる少なくとも１種の（メタ）アクリロイル基を有する（メタ）アクリル系共重合樹脂、（Ｂ）多官能（メタ）アクリレート及び（Ｃ）光重合開始剤を含有することを特徴とする活性エネルギー線硬化性ハードコート剤組成物。
【化１】
2011021151.tif 000009
【化２】
2011021151.tif 000010
【化３】
2011021151.tif 000011
【化４】
2011021151.tif 000012
（式中、Ｒ1及びＲ4は、それぞれ独立して、水素またはメチル基であり、Ｒ2及びＲ3は、それぞれ独立して、１〜２０個の炭素原子を有する脂肪族炭化水素基または環状構造を有する脂環族炭化水素基であり、ｎは、１０〜５００の数である）
【請求項２】
前記（Ａ）成分が、４００〜５，０００の二重結合当量、６０℃〜１００℃のガラス転移温度及び５０，０００〜２００，０００の重量平均分子量を有する（メタ）アクリル系共重合樹脂であることを特徴とする請求項１に記載の活性エネルギー線硬化性ハードコート剤組成物。
【請求項３】
前記（Ａ）成分と前記（Ｂ）成分との質量比が２０：８０〜５０：５０の範囲であることを特徴とする請求項１又は２に記載の活性エネルギー線硬化性ハードコート剤組成物。
【請求項４】
前記（Ｂ）成分が、ジペンタエリスリトールヘキサアクリレートであることを特徴とする請求項１〜３のいずれか一項に記載の活性エネルギー線硬化性ハードコート剤組成物。
【請求項５】
下記一般式（１）で表される構造を含む（メタ）アクリル系共重合樹脂の製造方法であって、
多官能チオール化合物の存在下で、カルボキシル基含有エチレン性不飽和単量体と、それ以外のエチレン性不飽和単量体とをラジカル共重合し、得られた（メタ）アクリル系共重合体の側鎖に存在するカルボキシル基に対し、グリシジル基含有エチレン性不飽和単量体を付加させることを特徴とする（メタ）アクリル系共重合樹脂の製造方法。
【化５】
2011021151.tif 000013
（式中、Ｒ1及びＲ4は、それぞれ独立して、水素またはメチル基であり、Ｒ2及びＲ3は、それぞれ独立して、１〜２０個の炭素原子を有する脂肪族炭化水素基または環状構造を有する脂環族炭化水素基であり、ｎは、１０〜５００の数である）
【請求項６】
下記一般式（２）で表される構造を含む（メタ）アクリル系共重合樹脂の製造方法であって、
多官能チオール化合物の存在下で、グリシジル基含有エチレン性不飽和単量体と、それ以外のエチレン性不飽和単量体とをラジカル共重合し、得られた（メタ）アクリル系共重合体の側鎖に存在するグリシジル基に対し、カルボキシル基含有エチレン性不飽和単量体を付加させることを特徴とする（メタ）アクリル系共重合樹脂の製造方法。
【化６】
2011021151.tif 000014
（式中、Ｒ1及びＲ4は、それぞれ独立して、水素またはメチル基であり、Ｒ2及びＲ3は、それぞれ独立して、１〜２０個の炭素原子を有する脂肪族炭化水素基または環状構造を有する脂環族炭化水素基であり、ｎは、１０〜５００の数である）
【請求項７】
下記一般式（３）で表される構造を含む（メタ）アクリル系共重合樹脂の製造方法であって、
多官能チオール化合物の存在下で、ヒドロキシル基含有エチレン性不飽和単量体と、それ以外のエチレン性不飽和単量体とをラジカル共重合し、得られた（メタ）アクリル系共重合体の側鎖に存在するヒドロキシル基に対し、イソシアネート基含有エチレン性不飽和単量体を付加させることを特徴とする（メタ）アクリル系共重合樹脂の製造方法。
【化７】
2011021151.tif 000015
（式中、Ｒ1及びＲ4は、それぞれ独立して、水素またはメチル基であり、Ｒ2及びＲ3は、それぞれ独立して、１〜２０個の炭素原子を有する脂肪族炭化水素基または環状構造を有する脂環族炭化水素基であり、ｎは、１０〜５００の数である）
【請求項８】
下記一般式（４）で表される構造を含む（メタ）アクリル系共重合樹脂の製造方法であって、
多官能チオール化合物の存在下で、イソシアネート基含有エチレン性不飽和単量体と、それ以外のエチレン性不飽和単量体とをラジカル共重合し、得られた（メタ）アクリル系共重合体の側鎖に存在するイソシアネート基に対し、ヒドロキシル基含有エチレン性不飽和単量体を付加させることを特徴とする（メタ）アクリル系共重合樹脂の製造方法。
【化８】
2011021151.tif 000016
（式中、Ｒ1及びＲ4は、それぞれ独立して、水素またはメチル基であり、Ｒ2及びＲ3は、それぞれ独立して、１〜２０個の炭素原子を有する脂肪族炭化水素基または環状構造を有する脂環族炭化水素基であり、ｎは、１０〜５００の数である）
【請求項９】
前記多官能チオール化合物として、１分子中に４つのチオール基を持つ多官能チオール化合物を使用することを特徴とする請求項５〜８のいずれか一項に記載の（メタ）アクリル系共重合樹脂の製造方法。
【請求項１０】
請求項１〜４のいずれか一項に記載の活性エネルギー線硬化性ハードコート剤組成物に活性エネルギー線を照射することにより得られることを特徴とする硬化塗膜。